(57)【特許請求の範囲】
【請求項１】
国別に設けられた複数の施設データベースから所望の施設を検索する施設検索方法において、
（１）国別の前記複数の施設データベースをそれぞれ国際電話の国番号と関連付けしておき、
（２）入力された数字の上位１桁が“０”の場合は、初期設定された国の施設データベースを前記検索対象施設データベースとし、入力された数字を検索キーとして該当する施設を検索し、
（３）入力された数字の上位１桁が“０”でない場合は、
（ｉ）入力された数字の上位２桁を国番号とする国の施設データベースの有無を判定する第１の判定処理を実行し、
（ii）前記第１の判定処理で有りの判定をした場合は該当する施設データベースを検索対象施設データベースに決定し、
（iii）前記第１の判定処理で判定不能の場合は入力された数字の上位３桁を国番号とする国の施設データベースの有無を判定する第２の判定処理を実行し、
（iv）前記第２の判定処理で有りの判定をした場合は該当する施設データベースを検索対象施設データベースに決定し、
（ｖ）前記検索対象施設データベースの決定に使用した数字以降の数字列を検索キーとして前記検索対象施設データベースから該当する施設を検索する
ことを特徴とする施設検索方法。
【請求項２】
国別に設けられた複数の施設データベースから所望の施設を検索する施設検索方法において、
（１）国別の前記複数の施設データベースをそれぞれ国際電話の国番号と関連付けしておき、
（２）入力された数字の上位２桁を国番号とする国の施設データベースの有無を判定する第１の判定処理を実行し、
（３）前記第１の判定処理で有りの判定をした場合は該当する施設データベースを検索対象施設データベースに決定し、
（４）前記第１の判定処理で判定不能の場合は入力された数字の上位３桁を国番号とする国の施設データベースの有無を判定する第２の判定処理を実行し、
（５）前記第２の判定処理で有りの判定をした場合は該当する施設データベースを検索対象施設データベースに決定し、
（６）前記検索対象施設データベースの決定に使用した数字以降の数字列を検索キーとして前記検索対象施設データベースから該当する施設を検索し、
（７）前記第１の判定処理及び前記第２の判定処理のうちのいずれか一方の判定処理で該当する国番号の国の施設データベース無しと判定したときに、前記入力された数字を検索キーとしてユーザ登録された施設データベースから該当する施設を検索する
ことを特徴とする施設検索方法。
【請求項３】
国別に設けられた複数の施設データベースから所望の施設を検索する施設検索方法において、
（１）国別の前記複数の施設データベースをそれぞれ国際電話の国番号と関連付けしておき、
（２）入力された数字の上位２桁を国番号とする国の施設データベースの有無を判定する第１の判定処理を実行し、
（３）前記第１の判定処理で有りの判定をした場合は該当する施設データベースを検索対象施設データベースに決定し、
（４）前記第１の判定処理で判定不能の場合は入力された数字の上位３桁を国番号とする国の施設データベースの有無を判定する第２の判定処理を実行し、
（５）前記第２の判定処理で有りの判定をした場合は該当する施設データベースを検索対象施設データベースに決定し、
（６）前記検索対象施設データベースの決定に使用した数字以降の数字列を検索キーとして前記検索対象施設データベースから該当する施設を検索し、
前記第１の判定処理及び前記第２の判定処理のうちのいずれか一方の判定処理で該当する国番号の国の施設データベース無しと判定したときに、初期設定された市外局番を前記入力された数字に付加して検索キーとし、初期設定された国の施設データベースから該当する施設を検索することを特徴とする施設検索方法。
【請求項４】
国別に設けられた複数の施設データベースから所望の施設を検索する施設検索装置において、
国別の前記複数の施設データベースをそれぞれ国際電話の国番号と関連付けして記憶する記憶手段と、
ユーザにより数字が入力される入力手段と、
前記入力手段を介して入力された数字に応じて前記複数の施設データベースのうちから検索対象施設データベースを決定し、前記検索対象施設データベースの決定に使用した数字以降の数字列を検索キーとして前記検索対象施設データベースから該当する施設を検索する制御手段とを有し、
前記制御手段は、前記入力手段を介して入力された数字の上位１桁が“０”の場合は、初期設定された国の施設データベースを前記検索対象データベースとし、前記入力手段を介して入力された数字を検索キーとして、該当する施設を検索することを特徴とする施設検索装置。
【請求項５】
国別に設けられた複数の施設データベースから所望の施設を検索する施設検索装置において、
国別の前記複数の施設データベースをそれぞれ国際電話の国番号と関連付けして記憶する記憶手段と、
ユーザにより数字が入力される入力手段と、
前記入力手段を介して入力された数字に応じて前記複数の施設データベースのうちから検索対象施設データベースを決定し、前記検索対象施設データベースの決定に使用した数字以降の数字列を検索キーとして前記検索対象施設データベースから該当する施設を検索する制御手段とを有し、
前記制御手段は、前記入力手段を介して入力された数字の上位２桁を国番号とする国の施設データベースが前記記憶手段に有るか否かを判定する第１の判定処理を実行し、前記第１の判定処理で有りの判定をした場合は該当する施設データベースを検索対象施設データベースに決定し、前記第１の判定処理で判定不能の場合は前記入力手段を介して入力された数字の上位３桁を国番号とする国の施設データベースが前記記憶手段に有るか否かを判定する第２の判定処理を実行し、前記第２の判定処理で有りの判定をした場合は該当する施設データベースを検索対象施設データベースに決定し、前記入力手段を介して入力された数字のうち前記検索対象施設データベースの決定に使用した数字以降の数字列を検索キーとして前記検索対象施設データベースから該当する施設を検索し、
前記第１の判定処理及び前記第２の判定処理のうちのいずれか一方の判定処理で該当する国番号の国の施設データベース無しと判定したときに、前記入力手段を介して入力された数字を検索キーとしてユーザ登録された施設データベースから該当する施設を検索することを特徴とする施設検索装置。
【請求項６】
国別に設けられた複数の施設データベースから所望の施設を検索する施設検索装置において、
国別の前記複数の施設データベースをそれぞれ国際電話の国番号と関連付けして記憶する記憶手段と、
ユーザにより数字が入力される入力手段と、
前記入力手段を介して入力された数字に応じて前記複数の施設データベースのうちから検索対象施設データベースを決定し、前記検索対象施設データベースの決定に使用した数字以降の数字列を検索キーとして前記検索対象施設データベースから該当する施設を検索する制御手段とを有し、
前記制御手段は、前記入力手段を介して入力された数字の上位２桁を国番号とする国の施設データベースが前記記憶手段に有るか否かを判定する第１の判定処理を実行し、前記第１の判定処理で有りの判定をした場合は該当する施設データベースを検索対象施設データベースに決定し、前記第１の判定処理で判定不能の場合は前記入力手段を介して入力された数字の上位３桁を国番号とする国の施設データベースが前記記憶手段に有るか否かを判定する第２の判定処理を実行し、前記第２の判定処理で有りの判定をした場合は該当する施設データベースを検索対象施設データベースに決定し、前記入力手段を介して入力された数字のうち前記検索対象施設データベースの決定に使用した数字以降の数字列を検索キーとして前記検索対象施設データベースから該当する施設を検索し、
前記第１の判定処理及び前記第２の判定処理のうちのいずれか一方の判定処理で該当する国番号の国の施設データベース無しと判定したときに、初期設定された市外局番を前記入力手段を介して入力された数字に付加して検索キーとし、初期設定された国の施設データベースから該当する施設を検索することを特徴とする施設検索装置。
【発明の詳細な説明】
【０００１】
【発明の属する技術分野】
本発明は、複数国分の施設データベースから電話番号又はその他の数字列により所望の施設を検索する施設検索方法に関し、特に車載用ナビゲーション装置のＰＯＩ（Point Of Interest ）検索に好適な施設検索方法及び施設検索装置に関する。
【０００２】
【従来の技術】
車載用ナビゲーション装置は、ＧＰＳ（Global Positioning System ）衛星から送られてくる電波を受信するＧＰＳ受信機と、地図データベースと、車両の移動距離を検出する移動距離センサ及び車両の向きを検出するジャイロとを有し、これらのＧＰＳ受信機、地図データベース、移動距離センサ及びジャイロを用いて車両の現在位置を検出する。
【０００３】
また、車載用ナビゲーション装置には、ユーザにより目的地が設定されると、車両の現在位置から目的地までの最適な経路（誘導経路）を探索し、その経路に沿って車両が移動するようにユーザに案内情報を提供する経路案内機能が設けられている。この経路案内機能によれば、例えば車両が交差点に近づくと、車両の進行方向を示す矢印を付した交差点拡大図を表示装置に表示したり、音声によりユーザに進行方向を知らせ、車両を目的地まで安全且つ迅速に案内する。
【０００４】
車載用ナビゲーション装置では、地図データベースを記憶する記憶媒体として、ＣＤ−ＲＯＭ、ＤＶＤ（Digital Versatile Disk）−ＲＯＭ又はハードディスクが使用されている。近年、車載用ナビゲーション装置の高機能化の要求に応じて、これらの記憶媒体に、地図データベースだけではなく、ガソリンスタンドやデパート等の店舗、公共施設及び観光施設等の施設（ＰＯＩ）をジャンル別に分類し、施設毎に、名称、位置（緯度・経度）、住所及び電話番号等をデータベース化した施設データベースが収録されるようになってきた。この種の車載用ナビゲーション装置では、例えば所望の施設を電話番号から検索することが可能であり、検索された施設の周辺の地図を表示装置に表示したり、検索された施設を簡単な操作で目的地に設定することができる。
【０００５】
ところで、欧州向けの車載用ナビゲーション装置では、複数の国に対応できるように、記憶媒体には複数国分の地図データベースと、国別に構築された複数の施設データベースとが記憶されている。この種の車載用ナビゲーション装置で電話番号による施設検索を行う場合、まず、ユーザはメニュー画面を呼出して、このメニュー画面から「電話番号検索」の項目を選択する。その後表示される画面で、対象とする国を指定してから電話番号を入力する。
【０００６】
【発明が解決しようとする課題】
しかしながら、上述したように、従来の電話番号による施設検索方法では、対象とする国を選択してからでなければ施設検索を実行できないので、操作が煩雑であるという欠点がある。
【０００７】
特開平１０−１５３９５０号公報には、通常の動作モードのときにテンキーが押されると番号入力モードに切り替え、入力された一連の番号（電話番号又はユーザ登録した番号）に対応する施設を検索する装置が提案されている。しかし、この装置を国別に構築された施設データベースを有する車載用ナビゲーション装置に適用する場合にも、検索対象となる施設データベースを切替える操作が必要となる。
【０００８】
以上から、本発明の目的は、複数国分の施設データベースから電話番号又はその他の数字列によって所望の施設を検索することができ、且つ操作が簡単な施設検索方法及び施設検索装置を提供することである。
【０００９】
【課題を解決するための手段】
本発明の施設検索方法は、国別に設けられた複数の施設データベースから所望の施設を検索する施設検索方法において、例えば（１）国別の前記複数の施設データベースをそれぞれ国際電話の国番号と関連付けしておき、（２）入力された数字の上位１桁が“０”の場合は、初期設定された国の施設データベースを前記検索対象施設データベースとし、入力された数字を検索キーとして該当する施設を検索し、（３）入力された数字の上位１桁が“０”でない場合は、（ｉ）入力された数字の上位２桁を国番号とする国の施設データベースの有無を判定する第１の判定処理を実行し、（ii）前記第１の判定処理で有りの判定をした場合は該当する施設データベースを検索対象施設データベースに決定し、（iii）前記第１の判定処理で判定不能の場合は入力された数字の上位３桁を国番号とする国の施設データベースの有無を判定する第２の判定処理を実行し、（iv）前記第２の判定処理で有りの判定をした場合は該当する施設データベースを検索対象施設データベースに決定し、（ｖ）前記検索対象施設データベースの決定に使用した数字以降の数字列を検索キーとして前記検索対象施設データベースから該当する施設を検索することを特徴とする。
【００１０】
本発明の施設検索装置は、国別に設けられた複数の施設データベースから所望の施設を検索する施設検索装置において、例えば国別の前記複数の施設データベースをそれぞれ国際電話の国番号と関連付けして記憶する記憶手段と、ユーザにより数字が入力される入力手段と、前記入力手段を介して入力された数字に応じて前記複数の施設データベースのうちから検索対象施設データベースを決定し、前記検索対象施設データベースの決定に使用した数字以降の数字列を検索キーとして前記検索対象施設データベースから該当する施設を検索する制御手段とを有し、前記制御手段は、前記入力手段を介して入力された数字の上位１桁が“０”の場合は、初期設定された国の施設データベースを前記検索対象データベースとし、前記入力手段を介して入力された数字を検索キーとして、該当する施設を検索することを特徴とする。
【００１１】
本願発明者らは、国際電話をする場合には電話番号の前に国番号を付加することに着目した。すなわち、国番号により国別に構築された施設データベースを切替えるようにすれば、国別の複数の施設データベースから所望の施設を簡単な操作で検索することができる。以下、更に詳細に説明する。
【００１２】
米国及びカナダを除く殆どの国の国番号は２桁又は３桁である。また、“０”から始まる国番号はない。従って、最初に“０”が入力された場合は、国際電話ではないと判断し、自国（又は、初期設定された国）の施設データベースを検索対象施設データベースとする。そして、それ以降に入力される数字列を検索キーとして、検索対象施設データベースから検索キーに該当する施設を検索する。
【００１３】
また、最初に“０”以外の数字が入力された場合は、２番目又は３番目までの数字の入力を待ち、該当する国番号の施設データベースを有しているか否かを調べる。入力された数字に該当する国番号の施設データベースを有している場合は、その国番号の施設データベースを検索対象施設データベースとする。そして、それ以降に入力される数字を検索キーとして、検索対象施設データベースから該当する施設を検索する。
【００１４】
これにより、検索対象とする国を指定するためのメニュー画面を呼出す操作が不要になり、簡単な操作で複数の国別施設データベースから所望の施設を検索することができる。
【００１５】
なお、車載用ナビゲーション装置では、ユーザ自身が所望の施設の位置（又は地点）を登録する機能を備えていることが多い。予め用意された国別の施設データベースにユーザが入力した数字列の施設がない場合は、ユーザ登録された施設データベースの中にユーザが入力した数字列に該当する施設が存在するか否かを調べるようにしてもよい。
【００１６】
【発明の実施の形態】
以下、本発明の実施の形態について、添付の図面を参照して説明する。
【００１７】
図１は本発明の電話番号による施設検索方法を実現する車載用ナビゲーション装置の構成を示すブロック図である。
【００１８】
１は複数国分の地図データベースと国別に構築された施設データベースとを記憶した記憶媒体である。本実施の形態では、地図データベースを記憶する記憶媒体としてＤＶＤ（ＤＶＤ−ＲＯＭ）を使用しているが、ハードディスク又はその他の記憶媒体を使用してもよい。地図データベースは、1/12500 、1/25000 、1/50000 及び1/100000等の縮尺レベルに応じて適当な大きさの経度幅及び緯度幅に区切られており、道路等は経度及び緯度で表現された頂点（ノード）の座標集合として記憶されている。道路は２以上のノードの連結により表現され、２つのノードを連結した部分はリンクといわれる。
【００１９】
３は後述するナビゲーション装置本体１０を操作するためのテンキー及びその他の操作ボタン等が設けられた操作部である。操作部３にはタッチパネルやリモートコントローラを含んでいてもよい。タッチパネルは後述する表示装置７の画面上に取り付けられ、ユーザが画面に触れるとその位置に応じた信号を出力する。
【００２０】
５はＧＰＳ衛星から送られてくるＧＰＳ信号を受信して車両の現在位置の経度及び緯度を検出するＧＰＳ受信機である。６は自立航法センサであり、この自立航法センサ６は、車両回転角度を検出するジャイロ等の角度センサ６ａと、一定の走行距離毎にパルスを発生する走行距離センサ６ｂとにより構成されている。
【００２１】
７は液晶パネル等の表示装置であり、ナビゲーション装置本体１０は、この表示装置７に車両の現在位置の周囲の地図を表示したり、種々の案内情報を表示する。８は音声によりユーザに案内情報を提供するためのスピーカーである。
【００２２】
ナビゲーション装置本体１０は以下のものから構成されている。１１はＤＶＤ１からの地図データの読み取りを制御するＤＶＤコントローラである。１２はＤＶＤ１から読み出した地図データを一時的に記憶するバッファメモリである。１３は操作部３と接続されるインターフェース、１５はＧＰＳ受信機５と接続されるインターフェース、１６は自立航法センサ６に接続されるインターフェースである。
【００２３】
１７はマイクロコンピュータにより構成される制御部である。制御部１７は、インターフェース１５，１６から入力される情報を基に車両の現在位置を検出したり、ＤＶＤコントローラ１１を制御してＤＶＤ１から所定の地図データをバッファメモリ１２に読み出したり、バッファメモリ１２に読み出された地図データを用いて設定された探索条件で誘導経路を探索するなど、種々の処理を実行する。また、制御部１７には、ユーザ登録された施設（ＰＯＩ）の位置及びその他のデータを記憶するメモリ１７ａが設けられている。
【００２４】
１８はバッファメモリ１２に読み出された地図データを用いて地図画像を生成する地図描画部、１９は動作状況に応じた各種メニュー画面（操作画面）や車両位置マーク及びポインター等の各種マークを生成する操作画面・マーク発生部である。
【００２５】
２０は制御部１７で探索した誘導経路を記憶する誘導経路記憶部、２１は誘導経路を描画する誘導経路描画部である。誘導経路記憶部２０には、制御部１７によって探索された誘導経路の全ノードが出発地から目的地まで記録される。誘導経路描画部２１は、例えば地図を表示する際に、誘導経路記憶部２０から誘導経路情報（ノード列）を読み出して、誘導経路を他の道路とは異なる色及び線幅で描画する。
【００２６】
２２は音声出力部であり、制御部１７からの信号に基づいて音声信号をスピーカー８に供給する。
【００２７】
２４は画像合成部であり、例えば地図描画部１８で描画された地図画像に、操作画面・マーク発生部１９で生成した各種マークや操作画面、誘導経路描画部２１で描画した誘導経路などを重ね合わせて表示装置７に表示する。
【００２８】
このように構成されたナビゲーション装置において、制御部１７は、ＧＰＳ受信機５で受信したＧＰＳ信号と、自立航法センサ６から入力した信号とから車両の現在位置を検出する。そして、ＤＶＤコントローラ１１を介してＤＶＤ１から車両の現在位置の周囲の地図データを読み出し、バッファメモリ１２に格納する。地図描画部１８は、制御部１７からの信号に応じてバッファメモリ１２に読み出された地図データから地図画像を生成し、表示装置７に表示する。
【００２９】
また、制御部１７は、車両の移動に伴ってＧＰＳ受信機５及び自立航法センサ６から入力した信号により車両の現在位置を検出し、その検出結果に応じて適宜、表示装置７に案内情報を表示したり、音声による案内情報をスピーカー８から出力する。
【００３０】
ＤＶＤ１には、図２に示すように、複数国分の地図データベースの他に、国別の施設データベースが収録されている。これらの国別の施設データベースは、それぞれ国際電話の国番号と関連付けされている。例えば、ドイツの施設データベースは“４９”に関連付けされており、フランスの施設データベースは“３３”に関連付けされている。
【００３１】
図３は施設データベースの構成を示す模式図である。この図３に示すように、施設データベースは多数の施設データにより構成されており、１つの施設データには、当該施設の登録番号、市外局番、市内電話番号、施設の名称、施設の位置（緯度・経度）、施設の住所、施設のジャンル（ガソリンスタンド、デパート、市役所等の区別）、その施設を地図上に表示するときのアイコンのデータ及びその他のデータが登録されている。
【００３２】
図４はユーザ登録施設のデータベースの構成を示す模式図である。この図４に示すように、ユーザ登録施設データベースを構成するユーザ登録データも、登録番号、市外局番、市内電話番号、施設の名称、施設の位置（緯度・経度）、施設の住所、施設のジャンル、アイコン及びその他のデータが登録可能である。但し、ユーザ登録施設データベースの場合は、市外局番及び市内電話番号の部分に、ユーザが任意の番号を登録することも可能である。
【００３３】
以下、上述のように構成された車載用ナビゲーション装置における施設検索方法の原理について説明する。
【００３４】
例えばヨーロッパの場合、図５，図６に示すように、英国、イタリア、オーストリア、ドイツ及びフランス等のように国際電話の国番号が２桁の国と、アイルランド、ブルガリア、ルクセンブルグ、マルタ及びポルトガル等のように国際電話の国番号が３桁の国とがある。
【００３５】
図５，図６に示す国を対象とした場合、３桁の国番号の初めの２桁は、３５、３７、３８及び４２のいずれかである。また、国番号が２桁の場合は、３５、３７、３８及び４２以外の３０番台又は４０番台の数字が使用されている。
【００３６】
従って、最初に入力された２桁の数字が図５に示す国番号のいずれかに対応する場合は、対応する国番号の施設データベースを検索対象すればよい。
【００３７】
また、最初に入力された２桁の数字が３５、３７、３８及び４２のいずれかの場合は、３桁目の数字が入力されるまで、いずれかの国の国番号であるか否かを判断することができない。
【００３８】
図７〜図１１は、本発明の実施の形態に係る電話番号検索方法を示すフローチャートである。但し、以下の例では、予め車載用ナビゲーション装置にはユーザ情報として、ユーザの居住している国、住所及び電話番号等の情報が登録されており、この情報により初期設定の国及び初期設定の市外局番が決められているものとする。例えば、ユーザがドイツのハンブルグに居住している場合は、初期設定の国は国番号４９のドイツとなり、初期設定の市外局番は０４０となる。
【００３９】
まず、ステップＳ１１において操作部３のテンキーが押下されると、表示装置７に図１２に示すような画面を表示し、番号入力モードになる。そして、ステップＳ１２に移行して、制御部１７は１番目の入力が“０”か否かを判定する。１番目の入力が“０”の場合はステップＳ１９に移行し、初期設定された国の施設データベースを検索対象とする。すなわち、最初に“０”が押された場合は、ドイツ国内の市外局番が入力されるものと想定した処理を行う。
【００４０】
その後、ステップＳ２０，Ｓ２１のループに移行し、数字の入力を継続する。所定の桁数まで数字が入力されると、ステップＳ２２に移行し、入力された番号を検索キーとし、検索対象施設データベースで該当する施設を検索する。そして、ステップＳ２３において、該当する施設が検索されたか否かを判定し、該当する施設がない場合はステップＳ２５に移行し、該当する施設が検索された場合はステップＳ２４に移行する。ステップＳ２４では、検索された施設のデータを表示装置７に表示する。
【００４１】
図１３に施設検索後に表示装置に表示される施設情報表示画面の例を示す。この図１３に示す例では、画面の右側に検索された施設の周囲の地図を表示し、左側に施設の住所及び電話番号等の情報を表示している。この状態で「目的地に設定」を選択すると、検索された施設を目的地に設定して、車両の現在位置から目的地までの誘導経路を探索し、推奨経路に沿って車両が移動するようにユーザに適宜案内情報を提供する。また、「電話をかける」を選択すると、ナビゲーション装置に接続された電話機（図示せず）を介して検索された施設に電話をかける。
【００４２】
一方、ステップＳ２３からステップＳ２５に移行した場合は、入力された番号に該当する施設を、メモリ１７ａに記録されているユーザ登録施設データベースで検索する。そして、ステップＳ２６で該当する施設があるか否かを判定し、該当する施設がある場合はステップＳ２７に移行して、その施設の情報を表示装置７に表示する（図１３の画面表示例を参照）。
【００４３】
ステップＳ２６で該当する施設がないと判定した場合は、ステップＳ２８に移行して、該当する施設がない旨のメッセージを表示装置７に表示する。図１４に、該当する施設がない場合の画面の表示例を示す。
【００４４】
ステップＳ１２で１番目に入力された数字が“０”以外の数字と判定した場合は、ステップＳ１３に移行して、２番目の数字の入力を待つ。そして、２番目の数字が入力されると、ステップＳ１４に移行する。ステップＳ１４，Ｓ１５では、入力された２桁の数字を国番号とする国の施設データベースの有無を判定する。
【００４５】
すなわち、入力された２桁の数字が３５、３７、３８及び４９のいずれかの場合は、入力された数字を国番号とする国の施設データベースが有るか否かを判定不能とし、ステップＳ１５に移行する。また、入力された２桁の数字が３５，３７，３８及び４９のいずれでもない場合は、ステップＳ１４からステップＳ１７に移行して、入力された２桁の番号に該当する国の施設データベースがＤＶＤ１に収録されているか否かを調べる。収録されている場合はステップＳ１８に移行し、収録されていない場合はステップＳ２９に移行する。
【００４６】
２桁の数字だけでは該当する国番号の施設データベースの有無を判定できない場合、すなわちステップＳ１４からステップＳ１５に移行した場合は、３番目の数字の入力を待つ。ステップＳ１５で３番目の数字が入力されると、ステップＳ１６に移行して、入力された３桁の数字に該当する国番号の施設データベースがＤＶＤ１に収録されている否かを調べる。収録されている場合は、ステップＳ１８に移行し、収録されていない場合はステップＳ２９に移行する。
【００４７】
ステップＳ１８では、入力された２桁又は３桁の数字に該当する国番号の施設データベースを検索対象施設データベースに設定する。
【００４８】
そして、ステップＳ３４，Ｓ３５のループに移行し、数字の入力を継続する。所定の桁数まで数字が入力されると、ステップＳ３６に移行して検索対象施設データベースを使用し、入力された数字列（但し、検索対象施設データベースの決定に使用した数字は除く）を検索キーとし、検索対象施設データベースで検索する。そして、ステップＳ３７において、検索キーに該当する施設が検索対象施設データベースに有るか否かを判定する。検索キーに該当する施設が無い場合はステップＳ３１に移行し、該当する施設が有る場合はステップＳ３８に移行する。ステップＳ３８では、検索された施設の情報を表示装置７に表示する（図１３の画面表示例を参照）。
【００４９】
なお、国際電話をかける場合、国によって国番号の後に市外局番の“０”を付加しなければならないことがある。例えば、イタリアの場合、国番号（Country Code）と市外局番（Area Code ）との間に前置番号（Prefix）として“０”を加える必要がある。本実施の形態のナビゲーション装置では、このような国に国際電話をかけるときには、自動的に前置番号を付加する。
【００５０】
ステップＳ３７からステップＳ３１に移行した場合は、市内電話番号を想定した施設検索を行う。すなわち、ステップＳ３１で、入力された数字列の前に初期設定の市外局番（この例では０４０）を付加して検索キーとする。そして、初期設定された国（ドイツ）の施設データベースから検索キーに該当する施設を検索する。
【００５１】
ステップＳ３２では、検索キーに該当する施設が検索対象施設データベースに有るか否かを判定し、有るときにはステップＳ３３に移行し、無いときにはステップＳ３５に移行する。ステップＳ３３では、検索された施設の情報を表示装置７に表示する（図１３の画面表示例を参照）。
【００５２】
ステップＳ３２からステップＳ２５に移行した場合、入力された数字列を検索キーとしてユーザ登録の施設データベースを検索し、ステップＳ２６で該当する施設が有るか否かを判定する。該当する施設が有る場合はステップＳ２７に移行し、検出された施設の情報を表示装置７に表示する（図１３の画面表示例を参照）。また、ステップＳ２６で該当する施設が無いと判定した場合はステップＳ２８に移行して、該当する施設がない旨のメッセージを表示装置７に表示する（図１４の画面表示例を参照）。
【００５３】
ステップＳ１６又はステップＳ１７で入力された番号に該当する国番号の施設データベースがないと判定した場合は、ステップＳ２９，Ｓ３０のループに移行する。そして、最後の桁まで数字が入力されるのを待ち、その後ステップＳ３１に移行する。ステップＳ３１では、入力された数字列の前に初期設定の市外局番（この例では０４０）を付加して検索キーとする。そして、初期設定された国（ドイツ）の施設データベースで検索キーに該当する施設を検索する。
【００５４】
ステップＳ３２では、検索キーに該当する施設が検索対象施設データベースに有るか否かを判定する。該当する施設が有るときにはステップＳ３３に移行し、無いときにはステップＳ２５に移行する。ステップＳ３３では、検索された施設の情報を表示装置７に表示する（図１３の画面表示例を参照）。
【００５５】
ステップＳ３２からステップＳ２５に移行した場合、入力された数字列を検索キーとしてユーザ登録の施設データベースを検索し、ステップＳ２６で該当する施設が有るか否かを判定する。該当する施設が有る場合はステップＳ２７に移行し、検索された施設の情報を表示装置７に表示する（図１３の画面表示例を参照）。また、ステップＳ２６で検索キーに該当する施設が無い場合はステップＳ３３に移行して、該当する施設が無い旨のメッセージを表示装置７に表示する（図１４の画面表示例を参照）。
【００５６】
このようにして、本実施の形態では、ユーザが国番号から入力した場合は国番号に対応する国別の施設データベースから該当する施設を検索し、市外局番又は市内電話番号から入力した場合は初期設定された国の施設データベースから該当する施設を検索する。そして、検索対象施設データベースに該当する施設が無い場合は、ユーザ登録施設データベースから該当する施設を検索する。
【００５７】
本実施の形態では、従来方法に比べて、メニュー画面を表示させて検索対象とする国を指定する操作が不要になり、単に国番号及び電話番号を入力するだけで所望の施設を、所定の国の施設データベースから検索する。これにより、電話番号検索の使い勝手（ユーザビリティー）が大幅に向上するという効果を奏する。
【００５８】
なお、上記実施の形態では欧州各国を対象とした電話番号による施設検索方法について説明したが、これにより本発明が欧州各国を対象とした電話番号による施設検索に限定されるものではない。例えば、アジア諸国を例にすると、国番号が３桁の場合には最初の２桁の数字が９６、９７、８５、８８のいずれかである。また、国番号が２桁の場合は、９６、９７、８５、８８以外の数字が使用されている。従って、この場合も上記実施の形態と同様に、国番号と電話番号の入力のみで複数の国別に構築された施設データベースから所望の施設を検索することができる。
【００５９】
また、上記実施の形態では電話番号から所望の施設を検索する場合について説明したが、本発明はこれに限定するものではなく、例えば複数の地点にそれぞれ固有のＩＤ番号を付加して構築されたデータベースから、所望の施設を検索する場合に適用することもできる。例えば、国際電話の国番号の入力により検索対象とする国の施設データベースを決定した後、国番号以外の数字を検索キーとして、検索対象の施設データベースからＩＤ番号に該当する施設を探索するシステムに適用することができる。
【００６０】
更に、上記実施の形態では本発明を車載用ナビゲーション装置に適用した場合について説明したが、本発明は車載用ナビゲーション装置だけでなく、汎用パソコンにプログラムを読み込んで実行させる電話番号による施設検索方法に適用することもできる。
【００６１】
更にまた、上記実施の形態では国別の施設データベースをＤＶＤ１に収録しているものとしたが、これらの施設データベースは、例えば車載電話等を介して接続される外部の情報センタに収録されていてもよい。
【００６２】
更にまた、本実施の形態では操作部のテンキーを押すことにより通常動作の状態から番号入力モードに移行したときの動作について説明したが、階層化構造のメニュー画面から検索対象とする国別施設データベースを選択することも可能である。
【００６３】
【発明の効果】
以上説明したように、本発明によれば、国別に設けられた複数の施設データベースをそれぞれ国際電話の国番号と関連付けしているので、メニュー画面を読み出して検索対象とする国を指定する操作が不要になり、国番号及び電話番号を入力するだけで所望の施設を検索することができる。
【図面の簡単な説明】
【図１】図１は、本発明の電話番号による施設検索方法を実現する車載用ナビゲーション装置の構成を示すブロック図である。
【図２】図２は、ＤＶＤに収録された複数国分の地図データベース及び国別の施設データベースを示す模式図である。
【図３】図３は、施設データベースの構成を示す模式図である。
【図４】図４は、ユーザ登録施設データベースの構成を示す模式図である。
【図５】図５は、国際電話の国番号が２桁の国の例を示す図である。
【図６】図６は、国際電話の国番号が３桁の国の例を示す図である。
【図７】図７は、本発明の実施の形態に係る電話番号検索方法を示すフローチャート（その１）である。
【図８】図８は、本発明の実施の形態に係る電話番号検索方法を示すフローチャート（その２）である。
【図９】図９は、本発明の実施の形態に係る電話番号検索方法を示すフローチャート（その３）である。
【図１０】図１０は、本発明の実施の形態に係る電話番号検索方法を示すフローチャート（その４）である。
【図１１】図１１は、本発明の実施の形態に係る電話番号検索方法を示すフローチャート（その５）である。
【図１２】図１２は、番号入力モード時の表示画面の例を示す図である。
【図１３】図１３は、施設検索後に表示される施設情報表示画面の例を示す図である。
【図１４】図１４は、入力された番号に該当する施設がベータベースに存在しないときの画面表示例を示す図である。
【符号の説明】
１…ＤＶＤ、
３…操作部、
５…ＧＰＳ受信機、
６…自立航法センサ、
７…表示装置、
８…スピーカー、
１０…ナビゲーション装置本体、
１１…ＤＶＤコントローラ、
１２…バッファメモリ、
１７…制御部、
１７ａ…メモリ、
１８…地図描画部、
１９…操作画面・マーク発生部、
２０…誘導経路記憶部、
２１…誘導経路描画部、
２２…音声出力部、
２４…画像合成部。
【図１】
0003908053.tif 000002
【図２】
0003908053.tif 000003
【図３】
0003908053.tif 000004
【図４】
0003908053.tif 000005
【図５】
0003908053.tif 000006
【図６】
0003908053.tif 000007
【図７】
0003908053.tif 000008
【図８】
0003908053.tif 000009
【図９】
0003908053.tif 000010
【図１０】
0003908053.tif 000011
【図１１】
0003908053.tif 000012
【図１２】
0003908053.tif 000013
【図１３】
0003908053.tif 000014
【図１４】
0003908053.tif 000015